(57)【要約】【課題】  雨水やほこりなどから電気機器を確実に保護することができ、しかも、装着を簡単に行なうことができる、電気機器輸送用カバーを提供すること。【解決手段】  屋外等に設置される電気機器を収納したパレット２０に搭載された複数の通い箱３０を覆う電気機器輸送用カバーにおいて、前記通い箱群を覆うサイズを有し、下面が開放された中空略箱状をなすカバー体１０であって、該カバー体１０の少なくとも一つの側面が隣接側面から切り離されていると共に、当該側面の両側縁を隣接側面の側縁にファスナー１６によって連結されていること。【選択図】図２
0003110179.tif 000002
【実用新案登録請求の範囲】
【請求項１】
屋外等に設置される電気機器を収納したパレットに搭載された複数の通い箱を覆う電気機器輸送用カバーにおいて、前記通い箱群を覆うサイズを有し、下面が開放された中空略箱状をなすカバー体であって、該カバー体の少なくとも一つの側面が隣接側面から切り離されていると共に、当該側面の両側縁を隣接側面の側縁にファスナーによって連結されていることを特徴とする電気機器輸送用カバー。
【請求項２】
ファスナーで連結された側面の下部は、その面の正面幅が緩いテーパー状をなすように狭められた請求項１のカバー。
【請求項３】
カバー体がポリエチレン樹脂シートからなる請求項１に記載のカバー。
【考案の詳細な説明】
【技術分野】
【０００１】
本考案は、電気機器輸送用カバーに係わり、さらに詳しくは、電力積算計のような屋外に設置される電気機器を輸送する際に使用するカバーに関する。
【背景技術】
【０００２】
屋外に設置される電気機器、例えば電力積算計などの計器類は、複数個を通い箱に収容し、輸送に際して、通い箱の複数個をパレットに載せ、各箱の上に同じ通い箱を積上げ、この通い箱群を載せたパレットをフォークリフトなどでトラックに積み込んでいる。
【０００３】
しかし、走行中に、通い箱に収容された計器類が埃などによって汚れたり、車体振動によって通い箱から飛び出したりする恐れがある。
【考案の開示】
【考案が解決しようとする課題】
【０００４】
以上のような状況に鑑み、本考案は、雨水やほこりなどから電気機器を確実に保護することができ、しかも、装着を簡単に行なうことができる、電気機器輸送用カバーを提供することを課題とする。
【課題を解決するための手段】
【０００５】
上記の課題を解決することを目的としてなされた本考案電気機器輸送用カバーの構成は、屋外等に設置される電気機器を収納したパレットに搭載された複数の通い箱を覆う電気機器輸送用カバーにおいて、前記通い箱群を覆うサイズを有し、下面が開放された中空略箱状をなすカバー体であって、該カバー体の少なくとも一つの側面が隣接側面から切り離されていると共に、当該側面の両側縁を隣接側面の側縁にファスナーによって連結されていることを特徴とするものである。
【考案の効果】
【０００６】
本考案電気機器輸送用カバーは、パレットに搭載された、屋外等に設置される電気機器を収納する複数の通い箱を覆う電気機器輸送用カバーにおいて、前記通い箱群を覆うサイズを有し、下面を開放された中空略箱状のカバー体であって、該カバー体の開放される側面の下方をテーパー状に狭めて形成し、隣接側面から切り離されている開放できる側面の両側縁を隣接側面の側縁にファスナーによって連結したので、雨水やほこりなどから電気機器を確実に保護することができる。また、カバー体の開放される側面のファスナーを閉じると、カバー体全体の下部がテーパー状に絞られることになって、輸送中に通い箱からまくれ上ることがない。更に、カバー体の開放される側面はファスナーで開閉できるので、そのカバー体をパレット上に積層した通い箱群に対し容易に装着或は離脱を行なうことができる。
【０００７】
すなわち、パレットに積層状態で搭載された通い箱群を覆うサイズをもつ、下面が開放された中空箱状のカバー体であるから、通い箱群全体を覆うことができ、各通い箱に収納された電気機器を雨やほこりなどから保護することができる。また、開放できる側面の少なくとも開放面側を下方に行くに従ってテーパー状の狭幅になるように形成しているため、カバー体の下部外周が通い箱群に密着し、カバー体が風などによって外れたりあおられたりすることがない上に、雨やほこりなどから確実に搭載したものを保護することができる。
【０００８】
そして、カバー体の少なくとも側面の一つを隣接側面から切り離し、その両側縁を隣接する側面の側縁にファスナーによって連結しているため、通い箱群にカバー体を被せ、ファスナーで結合するだけで、搭載したものを全面的に対する取り付けるカバーすることができ、内容確認が必要なときなどには、ファスナーを開け、通い箱の側面を露出させるだけで行うことができるので、作業性が極めて良い。
【考案を実施するための最良の形態】
【０００９】
以下、図を参照して、本考案電気機器輸送用カバーの一実施例を説明する。添付した図において、図１は本考案による電気機器輸送用カバーの平面図、図２は正面図、図３は左側面図、図４はカバー体の展開図である。
【００１０】
本考案カバーは、図１〜図３に示すように、概略無底の箱状をなす柔軟シート地製のカバー体１０を有しており、このカバー体１０をパレット２０に積み上げた通い箱３０に被せて、通い箱３０に収納された電気機器を雨やほこりなどから保護するためのものである。
【００１１】
図示した例において、カバー体１０は、二列の通い箱の積層体からなる通い箱群を覆っている。カバー体自体は、例えばポリエチレン樹脂のような柔軟性の合成樹脂シートからなるもので、前面部１１、左右の側面部１２，１３、背面部１４および上面部１５により構成された、下面が開放された中空箱状の形態に形成されている。
【００１２】
カバー体１０の前面部１１、側面部１２，１３、背面部１４および上面部１５は一体に形成されている。すなわち、図４に例示するように、側面部１２，１３の側縁Ｅ１２，Ｅ１３は背面部１４の側縁Ｅ１４に縫着や溶着などにより接続され、この接続ラインを中心に山折りされることにより、上面部１５に対して折れ線Ｂ１２，Ｂ１３を中心に山折りされると共に。背面部１４が折れ線Ｂ１４に沿って山折りされることになる。
【００１３】
一方、前面部１１は、その側縁を両側面部１２，１３とは接続されずに切り離されており、両側面部１２，１３の側縁にプラスチック製，金属製などのラインファスナー１６によって結合，分離自在に接続されることにより、ファスナー１６および上面部１５との間にある折れ線Ｂ１１に沿って山折りされた状態になる。
【００１４】
本考案においては、前記カバー体１０は、前面部１１、側面部１２，１３、背面部１４における夫々の下部１１ａ，１２ａ，１３ａ，１４ａの縁辺が内側に向かって傾斜したテーパー状に形成されているので、前面部１１をプラスチックファスナー１６によって閉じたときに、各テーパー状の下部１１ａ，１２ａ，１３ａ，１４ａの作用でこのカバー体１０の下面開口部の面積が上面部１５の面積よりも少し小さくなる。
【００１５】
パレット２０の上の通い箱３０は、上面が開放された浅い箱形の形態を有し、箱の底から上部に向って各側面３１が少し開くように傾斜が付されている。なお、各側面３１には多数のスリット３２が設けられている。
【００１６】
電気機器、たとえば電力積算計は、簡易包装され、各通い箱３０に内部に収納される。電気機器を収容した各通い箱３０は、夫々の底面が下方の通い箱３０の上部を覆うように上部開口に嵌めて、例えば上下方向で五段積層されている。そして、二列の通い箱積層体がパレット３０の上部に搭載される。
【００１７】
本考案カバーにおけるカバー体１０は、ファスナー１６を開き、前面部１１を上面部１５の上に載せて通い箱群に被せたあと、カバー体１０の前面部１１を通い箱群の前面を覆うように降ろすと、最上段にある通い箱３０の開放上面が上面部１５によって、通い箱３０の左右の側面および背面が側面部１２，１３、背面部１４により覆われる。そして、ファスナー１６を閉じると、これらの通い箱３０全体がカバー体１０によって包まれると共に、カバー体１０の前面部１１、側面部１２，１３および背面部１４にあるテーパー状の下部１１ａ，１２ａ，１３ａ，１４ａが絞られることにより、最下段に位置する通い箱３０の側壁に沿って密着する。このため、通い箱３０に収容された電気機器は、カバー体１０によってほぼ密封状態になるので、雨やほこりなどから保護される。
【００１８】
輸送は、フォークリフトによりパレット２０を持上げ、トラックなどの輸送車両に積載することでなされる。このとき、通い箱３０に収容された電気機器は、カバー体１０によって包まれているため、雨やほこりなどから保護されるのみならず、走行中に、カバー体１０が風によって煽られても、ファスナー１６を緩めないかぎり、カバー体１０が通い箱群から外れないため、電気機器を雨やほこりなどから確実に保護することができる。
【００１９】
輸送後は、パレット２０を利用してファークリフトによって輸送車両から降ろすのであるが、ファスナー１６を外し、前面部１１を上方に開くことで、前面が開放されるので、通い箱３０の引き出しや内部点検を容易に行うことができ、しかも、ファスナー１６を全部開放することにより、カバー体１０の下方が通い箱群から分離され、通い箱群から簡単にカバー体１０を簡単に外すことができる。そして、外したカバー体１０は、折りたたみ、空なった通い箱３０などに容れておけば、保管や返却を簡単に行なうこともできる。
【００２０】
以上説明した実施例にて、カバー体１０の前面部１１は、プラスチックファスナーによって側面部１２，１４に接続されているが、使用目的に応じて、ホックなどの他のファスナーを使用してもよい。さらに前面部１１や側面部１２，１３に商品名や広告などを施すなどしてもよい。
【産業上の利用可能性】
【００２１】
本考案は以上の通りであって、従来はカバーなど掛けることなくいわば裸で搬送していた電気機器を、パレット上に積層搭載された状態の通い箱群を、全部一まとめにして覆うことができるカバー体によって被覆し、搬送貨物を埃や風雨などから保護するようにしたので、産業上きわめて有用である。
【図面の簡単な説明】
【００２２】
【図１】本考案による電気機器輸送用カバーの平面図。
【図２】図１の正面図。
【図３】図１の左側面図。
【図４】図１に示すカバーの展開図。
【符号の説明】
【００２３】
１０        カバー体
１１        前面部
１２，１３  側面部
１４        背面部
１５        上面部
１６        ファスナー
２０        パレット
３０        通い箱
【図１】
0003110179.tif 000003
【図２】
0003110179.tif 000004
【図３】
0003110179.tif 000005
【図４】
0003110179.tif 000006